(57)【要約】      （修正有）【課題】優れた緩衝機能とディスプレー機能を有すると共に、梱包作業の効率化を図ることができ、額縁形状をなし意匠性にも優れた包装材を提供する。【解決手段】筒体４１を構成する外壁部４２と、外壁部４２の上縁から上方に向かって延設された上側支持片４４と、外壁部４２の下縁から下方に向かって延設された下側支持片４５とを備える外枠部材４と、窓孔部が孔設された枠体と、前記枠体の各辺縁に折り目を介して連なる外突片と、前記窓孔部を覆う透明又は半透明の弾性を有する緩衝フィルムとを備える一対の中枠部材３、３とを具備する包装材１であって、一対の中枠部材３、３を対向させた状態で筒体４１の中空部分に配置するとともに、筒体４１の内方へ折り曲げられた上側支持片４４により一方の中枠部材３の外周縁部を支持し、かつ、筒体４１の内方へ折り曲げられた下側支持片４５によって他方の中枠部材３の外周縁部を支持する。【選択図】図１
0003189231.tif 000002
【実用新案登録請求の範囲】
【請求項１】
平面視多角形状を呈した筒体を構成する複数の外壁部と、前記各外壁部の上縁から上方に向かって延設された上側支持片と、前記各外壁部の下縁から下方に向かって延設された下側支持片と、を備える外枠部材と、
窓孔部が孔設され平面視形状が前記筒体と略同形状を呈した枠体と、前記枠体の各辺縁に折り目を介して連なる外突片と、前記窓孔部を覆う透明又は半透明の弾性を有する緩衝フィルムと、を備える一対の中枠部材と、
を具備する包装材であって、
前記上側支持片が、前記外壁部の上縁に第一折り目を介して連なる内壁部と、前記内壁部に第二折り目を介して連なるフランジ部と、前記フランジ部に第三折り目を介して連なる先端部とを備え、これが前記第一乃至三折り目に沿って前記筒体の内方へ折り曲げられて前記フランジ部が前記筒体の下方の開口に対面し、かつ、前記先端部が前記筒体の上方の開口部内周に当接した略三角柱状のフランジを形成しており、
前記下側支持片が、前記外壁部の下縁に第一折り目を介して連なる内壁部と、前記内壁部に第二折り目を介して連なるフランジ部と、前記フランジ部に第三折り目を介して連なる先端部とを備え、これが前記第一乃至三折り目に沿って前記筒体の内方へ折り曲げられて前記フランジ部が前記筒体の上方の開口に対面し、かつ、前記先端部が前記筒体の下方の開口部内周に当接した略三角柱状のフランジを形成しており、
前記一対の中枠部材の一方が前記上側支持片のフランジ部により前記枠体が支持されるとともに、前記上側支持片の先端部と前記筒体の上方の開口部内周に前記外突片が挟持されることにより保持され、かつ、前記一対の中枠部材の他方が前記下側支持片のフランジ部により前記枠体が支持されるとともに、前記下側支持片の先端部と前記筒体の下方の開口部内周に前記外突片が挟持されることにより保持されて、前記一対の中枠部材を対向させた状態で前記筒体の中空部分に保持する
ことを特徴とする包装材。
【請求項２】
隣接する前記上側支持片の隣り合う側縁部にそれぞれ引掛部が形成されており、隣接する前記下側支持片の隣り合う側縁部にそれぞれ引掛部が形成されており、筒体の内方へ折り曲げられた隣接する前記上側支持片の引掛部が互いに噛み合い、筒体の内方へ折り曲げられた隣接する前記下側支持片の引掛部が互いに噛み合うことを特徴とする請求項１記載の包装材。
【請求項３】
前記上側支持片が上方に至るに伴い幅狭となるように両側縁部に傾斜部を有しており、前記下側支持片が下方に至るに伴い幅狭となるように両側縁部に傾斜部を有しており、隣接する前記上側支持片又は前記下側支持片を順次折り曲げる際に隣り合う側縁部が互いに干渉しないように形成されていることを特徴とする請求項１又は２記載の包装材。
【請求項４】
前記中枠部材の前記外突片の両側縁部に折り込み線が形成されており、前記折り込み線に沿って前記外突片の両側縁上端部を折り込んで係止片を設け、前記外枠部材の前記引掛部と前記係止片とが噛み合い係止されることを特徴とする請求項１乃至３のいずれかに記載の包装材。
【請求項５】
前記中枠部材の前記外突片の両側縁部に切欠き部を有する折り返し片が延設されており、前記外枠部材の前記引掛部と前記切欠き部とが噛み合い係止されることを特徴とする請求項１乃至４のいずれかに記載の包装材。
【請求項６】
前記外枠部材の前記フランジ部にスリットが形成されており、前記中枠部材の前記窓孔部内周に内方へ突出する差し込み片が延設されており、前記差し込み片が前記スリットに差し込み係止されることを特徴とする請求項１乃至５のいずれかに記載の包装材。
【考案の詳細な説明】
【技術分野】
【０００１】
本考案は、優れた緩衝機能とディスプレー機能を有するとともに、梱包作業の効率化を図ることができ、さらに額縁形状をなし意匠性にも優れた包装材に関するものである。
【背景技術】
【０００２】
従来、割れ物、電子機器、精密機器などの物流における包装材には発泡プラスチックが使用されてきたが、今日では環境負荷削減の見地から紙製の包装材が使用されるケースが増大している。
【０００３】
また、近年、被包装物品を２枚の可撓性を有する透明のフィルムによって保持する包装材が知られている。この包装材によれば、包装後においても透明のフィルムを透して被包装物品の状態を確認することができる。
【考案の概要】
【考案が解決しようとする課題】
【０００４】
しかし、紙製の包装材はセッティングに時間と手間がかかり、しかも十分な緩衝効果が期待できないという問題があった。
【０００５】
また、２枚の可撓性を有する透明のフィルムによって被包装物品を保持する包装材は、強度が非常に低く、重量のある被包装物品には使用することが困難であり、また、構造上、被包装物品全体の状態を確認することはできないという問題があった。
【０００６】
そこで、前記問題を解決した包装材として、本考案は、優れた緩衝機能とディスプレー機能を有するとともに、梱包作業の効率化を図ることができ、さらに額縁形状をなし意匠性にも優れた包装材を提供するものである。
【課題を解決するための手段】
【０００７】
本考案は、前記課題を解決するためになされたもので、請求項１記載の包装材は、平面視多角形状を呈した筒体を構成する複数の外壁部と、前記各外壁部の上縁から上方に向かって延設された上側支持片と、前記各外壁部の下縁から下方に向かって延設された下側支持片と、を備える外枠部材と、窓孔部が孔設され平面視形状が前記筒体と略同形状を呈した枠体と、前記枠体の各辺縁に折り目を介して連なる外突片と、前記窓孔部を覆う透明又は半透明の弾性を有する緩衝フィルムと、を備える一対の中枠部材と、を具備する包装材であって、前記上側支持片が、前記外壁部の上縁に第一折り目を介して連なる内壁部と、前記内壁部に第二折り目を介して連なるフランジ部と、前記フランジ部に第三折り目を介して連なる先端部とを備え、これが前記第一乃至三折り目に沿って前記筒体の内方へ折り曲げられて前記フランジ部が前記筒体の下方の開口に対面し、かつ、前記先端部が前記筒体の上方の開口部内周に当接した略三角柱状のフランジを形成しており、前記下側支持片が、前記外壁部の下縁に第一折り目を介して連なる内壁部と、前記内壁部に第二折り目を介して連なるフランジ部と、前記フランジ部に第三折り目を介して連なる先端部とを備え、これが前記第一乃至三折り目に沿って前記筒体の内方へ折り曲げられて前記フランジ部が前記筒体の上方の開口に対面し、かつ、前記先端部が前記筒体の下方の開口部内周に当接した略三角柱状のフランジを形成しており、前記一対の中枠部材の一方が前記上側支持片のフランジ部により前記枠体が支持されるとともに、前記上側支持片の先端部と前記筒体の上方の開口部内周に前記外突片が挟持されることにより保持され、かつ、前記一対の中枠部材の他方が前記下側支持片のフランジ部により前記枠体が支持されるとともに、前記下側支持片の先端部と前記筒体の下方の開口部内周に前記外突片が挟持されることにより保持されて、前記一対の中枠部材を対向させた状態で前記筒体の中空部分に保持することを特徴とするものである。
【０００８】
また、請求項２記載の包装材は、前記請求項１記載の包装材において、隣接する前記上側支持片の隣り合う側縁部にそれぞれ引掛部が形成されており、隣接する前記下側支持片の隣り合う側縁部にそれぞれ引掛部が形成されており、筒体の内方へ折り曲げられた隣接する前記上側支持片の引掛部が互いに噛み合い、筒体の内方へ折り曲げられた隣接する前記下側支持片の引掛部が互いに噛み合うことを特徴とするものである。
【０００９】
また、請求項３記載の包装材は、請求項１又は２記載の包装材において、前記上側支持片が上方に至るに伴い幅狭となるように両側縁部に傾斜部を有しており、前記下側支持片が下方に至るに伴い幅狭となるように両側縁部に傾斜部を有しており、隣接する前記上側支持片又は前記下側支持片を順次折り曲げる際に隣り合う側縁部が互いに干渉しないように形成されていることを特徴とするものである。
【００１０】
また、請求項４記載の包装材は、請求項１乃至３のいずれかに記載の包装材において、前記中枠部材の前記外突片の両側縁部に折り込み線が形成されており、前記折り込み線に沿って前記外突片の両側縁上端部を折り込んで係止部を設け、前記外枠部材の前記引掛部と前記係止部とが噛み合い係止されることを特徴とするものである。
【００１１】
また、請求項５記載の包装材は、請求項１乃至４のいずれかに記載の包装材において、前記中枠部材の前記外突片の両側縁部に切欠き部を有する折り返し片が延設されており、前記外枠部材の前記引掛部と前記切欠き部とが噛み合い係止されることを特徴とするものである。
【００１２】
また、請求項６記載の包装材は、請求項１乃至５のいずれかに記載の包装材において、前記外枠部材の前記フランジ部にスリットが形成されており、前記中枠部材の前記窓孔部内周に内方へ突出する差し込み片が延設されており、前記差し込み片が前記スリットに差し込み係止されることを特徴とするものである。
【考案の効果】
【００１３】
本考案によれば、優れた緩衝機能とディスプレー機能を有するとともに、梱包作業の効率化を図ることができ、さらに額縁形状をなし意匠性にも優れた包装材を提供することができる。
【図面の簡単な説明】
【００１４】
【図１】第１の実施形態に係る包装材の組み立て途中を示した分解斜視図である。
【図２】第１の実施形態に係る包装材の組み上がった状態を示した斜視図である。
【図３】図１に示す包装材の中枠部材を示した展開図である。
【図４】図１に示す包装材の外枠部材を示した展開図である。
【図５】図１に示す包装材を示した縦断面図である。
【図６】第２の実施形態の包装材の中枠部材を示した展開図である。
【図７】第３の実施形態の包装材の（ａ）外枠部材と（ｂ）中枠部材を示した展開図である。
【考案を実施するための形態】
【００１５】
以下、本考案の第１の実施形態を図面に基づき説明する。
【００１６】
図１は本考案の第１の実施形態に係る包装材の組み立て途中を示した分解斜視図であり、図２は本実施形態に係る包装材の組み上がった状態を示した斜視図であり、図３は本実施形態に係る包装材の中枠部材を示した展開図であり、図４は本実施形態に係る包装材の外枠部材を示した展開図であり、図５は本実施形態に係る包装材を示した縦断面図である。
【００１７】
包装材１は、被包装物品２を挟持する一対の中枠部材３，３と、一対の中枠部材３，３を保持する外枠部材４とからなる。外枠部材４は、一対の中枠部材３，３を保持する筒体４１を構成する４枚の外壁部４２と、外壁部４２の上縁を延長してなる上側支持片４４と、外壁部４２の下縁を延長してなる下側支持片４５とから構成されている。なお、以下において、単に支持片と記載した場合には、上側支持片４４及び下側支持片４５を示している。
【００１８】
中枠部材３は、図３に示すように、段ボール紙などの厚紙を打ち抜いてなる一枚のブランクの片面に緩衝フィルム３１（図３中、点線にて示す。）を張り渡し、ブランクの所定位置を折り曲げたものである。ブランクは、窓孔部３２を有する平面視矩形状の枠体３３と、枠体３３の外周縁にそれぞれ折り目ａを介して延設された外突片３４とから形成されている。そして、緩衝フィルム３１は、窓孔部３２を覆うように張り渡されており、外周縁部が各外突片３４に接着されている。
【００１９】
なお、緩衝フィルム３１の接着方法としては、緩衝フィルム３１を加熱溶着してもよく、また、接着剤を用いて接着してもよい。
【００２０】
外枠部材４は、図４に示すように、段ボール紙などの厚紙を打ち抜いてなる一枚のブランクからなり、ブランクの所定位置を折り曲げたものである。ブランクには、筒体４１を構成する４枚の外壁部４２が一列に並んだ状態で連接されており、それらの境界部分には折り目ｂが形成されている。なお、一列に並んだ４枚の外壁部４２は、長尺状の外壁部４２と短尺状の外壁部４２とが交互に連なっており、一方端に位置する長尺状の外壁部４２の側縁に糊代部４３（連結部）が折り目ｂを介して連接されている。
【００２１】
外壁部４２には、上縁から上側支持片４４が延設されるとともに、下縁から下側支持片４５が延設されている。
【００２２】
支持片４４，４５は、外壁部４２に第一折り目ｃを介して連なる内壁部４４ａ、４５ａと、内壁部４４ａ、４５ａに第二折り目ｄを介して連なるフランジ部４４ｂ、４５ｂと、フランジ部４４ｂ、４５ｂに第三折り目ｅを介して連なる先端部４４ｃ、４５ｃとを備える。そして、短尺状の外壁部４２に延設された支持片４４，４５には、内壁部４４ａ、４５ａの両側縁に引掛片４６ａ（引掛部）が形成されており、また、長尺状の外壁部４２に延設された支持片４４，４５には、内壁部４４ａ、４５ａの両側縁に引掛溝４６ｂ（引掛部）が形成されており、引掛片４６ａ（引掛部）と引掛溝４６ｂ（引掛部）が噛み合い係止されることにより隣接する支持片４４，４５がロックされた状態で保持される。
【００２３】
このときに、先に折り曲げた支持片４４，４５の側縁部と、後から折り曲げる支持片４４，４５の側縁部が互いに干渉してロック状態に移行するのを妨げられるのを防止するため、支持片４４の内壁部４４ａは上方に至るに伴い幅狭に形成されており、支持片４５の内壁部４５ａは下方に至るに伴い幅狭に形成されており、かつ、フランジ部４４ｂと先端部４４ｃは内壁部４４ａの上縁とほぼ同幅の幅狭に形成されており、フランジ部４５ｂと先端部４５ｃは内壁部４５ａの下縁とほぼ同幅の幅狭に形成されている。これにより、支持片４４，４５の折り曲げの作業の順序が限定されることがなくなり、梱包作業の効率化が図られる。
【００２４】
また、本実施形態では、短尺状の外壁部４２に延設された上側支持片４４に、第二折り目ｄを跨ぐように指掛孔４７が設けられているが、指掛孔４７を設ける場所及び数はこれに限られるものではないし、必ずしも設ける必要はない。
【００２５】
次に、本実施形態に係る包装材の組み立て方法を説明する。
【００２６】
先ず、外枠部材４を構成するブランクの４枚の外壁部４２及び糊代部４３を折り目ｂに沿って同一方向にそれぞれ直角に折り曲げ、糊代部４３を一列に並んだ４枚の外壁部４２における他方端に位置する短尺状の外壁部４２の側縁に接着することにより、平面視矩形状の中空部分を有する筒体４１を組み立てる。
【００２７】
次に、外壁部４２に延設された任意の上側支持片４４を第二折り目ｄ及び第三折り目ｅに沿って筒体４１の内方へ折り曲げることによって三角柱状に成形する。その後、当該上側支持片４４全体を第一折り目ｃに沿って筒体４１の内方へ折り曲げることにより、当該上側支持片４４のフランジ部４４ｂを筒体４１の下方の開口と対面させるとともに、先端部４４ｃを筒体４１の上方の開口部内周に当接させる。続いて、隣接する上側支持片４４を第二折り目ｄ及び第三折り目ｅに沿って筒体４１の内方へ折り曲げることによって三角柱状に成形する。その後、当該上側支持片４４全体を第一折り目ｃに沿って筒体４１の内方へ折り曲げることにより、当該上側支持片４４のフランジ部４４ｂを筒体４１の下方の開口と対面させるとともに、先端部４４ｃを筒体４１の上方の開口部内周に当接させる。この時、短尺状の外壁部４２に延設された上側支持片４４の引掛片４６ａと長尺状の外壁部４２に延設された上側支持片４４の引掛溝４６ｂとを噛み合わせる。残りの上側支持片４４についても前記と同様に折り曲げ作業を行うことより、筒体４１の上方の開口側内周には、各上側支持片４４のフランジ部４４ｂによって下方の開口と対面するフランジ４８ａが形成される。
【００２８】
次に、中枠部材３を構成するブランクの各外突片３４を折り目ａに沿って緩衝フィルム３１が外側になるように直角に折り曲げる。続いて、一方の中枠部材３を筒体４１の下方の開口から筒体４１の中空部分に収納する。この時、一方の中枠部材３の緩衝フィルム３１が張り渡されていない面を筒体４１の上方の開口側に向ける。そして、一方の中枠部材３の各外突片３４を筒体４１の上方の開口部内周と上側支持片４４の先端部４４ｃとの間に差し込むとともに、一方の中枠部材３の外周縁部を構成する枠体３３をフランジ４８ａに当接させる。
【００２９】
次に、一方の中枠部材３の緩衝フィルム３１が張り渡された窓孔部３２に被包装物品２を載置した後、他方の中枠部材３を一方の中枠部材３と同様に筒体４１の下方の開口から筒体４１の中空部分に収納する。この時、他方の中枠部材３の緩衝フィルム３１が張り渡されていない面を筒体４１の下方の開口側に向ける。これにより、一対の中枠部材３，３は、緩衝フィルム３１が張り渡された面を対面させた状態で筒体４１の中空部分に配置される。
【００３０】
最後に、下側支持片４５についても上側支持片４４について行った前記の折り曲げ作業を行う。これにより、筒体４１の下方の開口側内周には、各下側支持片４５のフランジ部４５ｂによって上方の開口と対面するフランジ４８ｂが形成され、他方の中枠部材３の外周縁部を構成する枠体３３がフランジ４８ｂに当接された状態となり、また、他方の中枠部材３の各外突片３４が筒体４１の下方の開口部内周と下側支持片４５の先端部４５ｃとの間に差し込まれた状態となる。
【００３１】
本実施の形態によれば、筒体の内方へ折り曲げられた各支持片が三角柱状に成形されているため、強度が格段に向上する。さらに、包装材の内周面となる支持片の内壁部に折り目が形成されておらず、枠体がフランジを押す力が筒体と支持片との境界部分に形成された折り目に集中するため、支持片の断面形状が歪むことなく、強度がさらに向上する。
【００３２】
また、被包装物品が大きくなると、緩衝フィルムの緊張状態が増し、これに伴って枠体がフランジを押す力も大きくなるが、本実施形態によれば、幅を有するフランジ部によってフランジが形成されており、中枠部材がフランジに対して面で接して支持されるため、ブランクの材料となる厚紙などの強度が弱くても（厚さが薄くても）、より大きな被包装物品を包装することができる。さらに、被包装物品が大きくなると、緩衝フィルムの緊張状態が増し、これに伴って緩衝フィルムが枠体を筒体の中空方向へ引っ張る力も大きくなるが、本実施の形態によれば、枠体に対して直交する外突片が設けられており、外突片が筒体と支持片との間に差し込まれた状態となっているため、枠体がフランジから外れることがない。
【００３３】
さらに、本実施形態においては、中枠部材３の変更例として、外突片３４の両側縁部に折り込み線を形成した構成を採用することができる。外突片３４の両側縁部上端を当該折り込み線に沿って筒体４１の内方へ折り曲げることにより係止片を形成し、この係止片を支持片４４，４５の引掛部４６ａ、４６ｂと噛み合わせることで中枠部材３と外枠部材４とがロックされる。これにより、支持片４４，４５のうち一つを折り曲げた時点で中枠部材３と外枠部材４の形状が保持されるので、残りの支持片４４，４５の折り曲げ作業はどこも押さえ込まずに容易に行うことができる。
【００３４】
図６は本考案の第２の実施形態に係る包装材の中枠部材を示した展開図である。
【００３５】
本実施形態の中枠部材３は、対向する外突片３４の両側縁部に折り目ｆを介して折り返し片３５が延設されており、折り返し片３５には切欠き部３６が形成されている。切欠き部３６は、折り返し片３５を折り目ｆに沿って直角に折り曲げ、かつ、当該外突片３４を折り目ａに沿って直角に折り曲げた状態において、支持片４４，４５の引掛部４６ａ、４６ｂと噛み合う位置に形成されている。これにより、折り返し片３５を有する外突片３４の一つを支持片４４，４５とロックさせた時点で中枠部材３と外枠部材４の形状が保持されるので、残りの支持片４４，４５の折り曲げ作業はどこも押さえ込まずに容易に行うことができる。
【００３６】
図７は本考案の第３の実施形態に係る包装材の（ａ）外枠部材と（ｂ）中枠部材を示した展開図である。
【００３７】
本実施形態の外枠部材４は、長尺状の外壁部４２に延設された支持片４４、４５のフランジ部４４ｂ、４５ｂにスリット４９が形成されるとともに、中枠部材３の窓孔部３２内周の対向する位置に差し込み片３７が形成されている。スリット４９が形成された支持片４４、４５を第二折り目ｄ及び第三折り目ｅに沿って筒体４１の内方へ折り曲げた状態で差し込み片３７をスリット４９に差し込み、そのまま当該支持片４４、４５全体を第一折り目ｃに沿って筒体４１の内方へ折り曲げることにより中枠部材３と外枠部材４がロックされた状態で保持される。これにより、残りの支持片４４，４５の折り曲げ作業はどこも押さえ込まずに容易に行うことができる。
【００３８】
外枠部材を構成する筒体の平面視形状は、前記各実施の形態のように矩形状に限らず、三角形状や五角形状などの他の多角形状にしてもよい。
【００３９】
また、支持片を筒体の内方へ折り曲げて成形されるフランジは三角柱状に限らず、他の多角柱状にしてもよい。例えば、内壁部に第四折り目を設けることにより四角柱状とすることにより、さらに強度を向上させることができる。
【００４０】
以上のとおりであり、本考案の包装材は、優れた緩衝機能とディスプレー機能を有するとともに、梱包作業の効率化を図れるものである。さらに額縁形状をなし意匠性にも優れているので、例えば、被包装物品を収納したままの状態で、外枠部材の外壁部の一つを底面としてテーブル等に載置して、インテリアとして使用することもできる。
【符号の説明】
【００４１】
１  包装材
２  被包装物品
３  中枠部材
４  外枠部材
３１  緩衝フィルム
３２  窓孔部
３３  枠体
３４  外突片
３５  折り返し片
３６  切欠き部
３７  差し込み片
４１  筒体
４２  外壁部
４３  糊代部
４４  上側支持片
４４ａ  内壁部
４４ｂ  フランジ部
４４ｃ  先端部
４５  下側支持片
４５ａ  内壁部
４５ｂ  フランジ部
４５ｃ  先端部
４６ａ  引掛片（引掛部）
４６ｂ  引掛溝（引掛部）
４７  指掛孔
４８ａ，ｂ  フランジ
４９  スリット
ａ、ｂ、ｆ  折り目
ｃ  第一折り目
ｄ  第二折り目
ｅ  第三折り目
【図１】
0003189231.tif 000003
【図２】
0003189231.tif 000004
【図３】
0003189231.tif 000005
【図４】
0003189231.tif 000006
【図５】
0003189231.tif 000007
【図６】
0003189231.tif 000008
【図７】
0003189231.tif 000009